(57)【特許請求の範囲】
【請求項１】
被写体からの光画像に基づいて画像データを発生させる撮影手段と、前記画像データを記録媒体に記録するよう構成された画像記録装置において、
測位装置を用いたナビゲーションシステム装置と前記画像記録装置との間のインターフェースを取る手段を備えることにより、
前記画像記録装置から前記ナビゲーションシステム装置へ前記画像データを送信することと、
前記ナビゲーションシステム装置からの位置情報を受信することを、行い得るようにしたことを特徴とする画像記録装置。
【請求項２】
前記ナビゲーションシステム装置と前記画像記録装置とを着脱自在に接続する接続部を備えていることを特徴とする請求項１に記載の画像記録装置。
【請求項３】
前記ナビゲーションシステム装置からの位置情報を受信し、該位置情報を前記画像データと共に前記記録媒体に記録する手段を備えていることを特徴とする請求項１または２に記載の画像記録装置。
【請求項４】
衛星からの電波に基づいて位置測定が可能なナビゲーションシステム装置において、
被写体からの光画像に基づいて画像データを発生させる撮影手段を備える画像記録装置と前記ナビゲーションシステム装置との間のインターフェースを取る手段を備えることにより、
前記ナビゲーションシステム装置の位置測定により得られた位置情報を前記画像記録装置へ送信することと、
前記画像記録装置からの画像データを受信することを、行い得るようにしたことを特徴とするナビゲーションシステム装置。
【発明の詳細な説明】
【０００１】
【産業上の利用分野】
本発明は画像記録装置、ナビゲーションシステム装置及び携帯電話機に関する。
【０００２】
【従来の技術】
近年、従来の銀塩フィルム式カメラに代わって、被写体からの光画像信号を撮像素子により電気画像信号に変換し、該電気画像信号を従来のフィルムに相当する磁気ディスク等の記録媒体に記録する構成のスチルビデオカメラが実用化されており、記録媒体に記録した電気画像信号をモニタで再生して見たり、プリンタでハードコピーしたりするようになっている（特開昭５９−１８３５８２号公報等参照）。
【０００３】
また、上記のようなスチルビデオカメラで撮影された画像信号を、大容量の記録媒体に複数記録させて所謂電子アルバム化することが考えられている。
【０００４】
【発明が解決しようとする課題】
ところで、上記のような電子アルバムを作成する際には、記録されている複数の画像を規則性を持って分類・整理することが望まれ、現状では、撮影日時を画像信号と共に自動的に記録することが一般的に行われているため、この撮影日時の情報に基づいて撮影日時の順に画像情報を整理することなどが行われている。また、電子アルバムから所望の画像を検索する際の検索情報としても、前記撮影日時の情報が用いられる場合がある。
【０００５】
ここで、撮影した画像の整理や検索に当たっては、前記日時の情報の他に、撮影位置（撮影場所）の情報があれば更に便利であるが、例えばカメラに備えられたキーボタンの操作によって文字を選択できるよう構成し、撮影毎に撮影位置の情報を前記キーボタンの操作によって入力することは煩雑であり、また、文字入力の操作を簡略化するためには、多くのキーボタンを備える必要があってカメラが大型化し、キーボタンを少なくすると文字入力に手間がかかるという問題が発生する。
【０００６】
一方、近年、衛星からの電波を受信し位置測定を行なう自動車のナビゲーションシステム装置や、頻繁に無線基地局と交信して最寄りの無線基地局に対応付けられることによってその位置を略特定することが可能な無線式の携帯電話機が開発されている。そこで、これらの装置が特定した位置情報を前述の撮影位置情報として利用することも考えられるが、従来、ナビゲーションシステムや携帯電話機とスチルビデオカメラとの間で情報の伝達が行われるようにはなっていなかったため、撮影者はナビゲーションシステムや携帯電話機から位置情報を得た後、カメラのキーボタンの操作によって入力せざるを得なかった。それ故、結局、上述した例と同様に、その入力操作は非常に煩雑で手間がかかり或いはカメラが大型化するといった問題が発生する。
【０００７】
本発明は上記の点に着目して成されたものであり、ナビゲーションシステムの装置や携帯電話機と画像記録装置とを一体的に構成するか、或いは接続可能とし、ナビゲーションシステムや携帯電話機の機能を利用することが可能な画像記録装置を提供すると共に、画像記録装置にその機能を提供することができるナビゲーションシステム装置或いは携帯電話機を提供することを目的とする。
【０００８】
【課題を解決するための手段】
上記課題は請求項１記載の画像記録装置によって達成される。すなわち請求項１記載の画像記録装置は、被写体からの光画像に基づいて画像データを発生させる撮影手段と、前記画像データを記録媒体に記録するよう構成された画像記録装置において、測位装置を用いたナビゲーションシステム装置と前記画像記録装置との間のインターフェースを取る手段を備えることにより、前記画像記録装置から前記ナビゲーションシステム装置へ前記画像データを送信することと、前記ナビゲーションシステム装置からの位置情報を受信することを、行い得るようにしたことを特徴とする。
【０００９】
また上記課題は請求項２記載の画像記録装置によって達成される。すなわち請求項２記載の画像記録装置は、前記ナビゲーションシステム装置と前記画像記録装置とを着脱自在に接続する接続部を備えていることを特徴とする。
【００１０】
また上記課題は請求項３記載の画像記録装置によって達成される。すなわち請求項３記載の画像記録装置は、前記ナビゲーションシステム装置から情報を取り込み、前記画像データと共に前記記録媒体に記録する手段を備えていることを特徴とする。
【００１６】
また上記課題は請求項４記載のナビゲーションシステム装置によって達成される。すなわち請求項４記載のナビゲーションシステム装置は、衛星からの電波に基づいて位置測定が可能なナビゲーションシステム装置において、被写体からの光画像に基づいて画像データを発生させる撮影手段を備える画像記録装置と前記ナビゲーションシステム装置との間のインターフェースを取る手段を備えることにより、前記ナビゲーションシステム装置の位置測定により得られた位置情報を前記画像記録装置へ送信することと、前記画像記録装置からの画像データを受信することを、行い得るようにしたことを特徴とする。
【００１８】
【作用】
請求項１記載の画像記録装置によれば、自動車に搭載されたナビゲーションシステム装置とのインターフェースを備えており、ナビゲーションシステムの機能を利用することができるようになるので、ナビゲーションシステムからの情報を利用したり、撮影した画像をナビゲーションシステムで表示することも可能になる。
【００１９】
請求項２記載の画像記録装置によれば、ナビゲーションシステム装置と着脱自在に接続できるので、撮影時には画像記録装置をナビゲーションシステム装置から取り外して撮影し、その他の場合はナビゲーションシステム装置にして情報を得るといったことが可能になる。
【００２０】
請求項３記載の画像記録装置によれば、ナビゲーションシステム装置から情報を取り込み、画像データと共に記録媒体に記録することができるので、撮影者による文字選択などの操作負担を必要とせずに簡便に撮影位置を記録させることが可能となるとともに、入力ミスの発生を回避できる。
【００２６】
請求項４記載のナビゲーションシステム装置によれば、撮影機能を備える画像記録装置とのインターフェースを備えており、画像記録装置に対してナビゲーションシステムの情報を提供したり画像記録装置で撮影した画像を表示するといったことも可能になる。
【００２８】
【実施例】
以下に本発明の実施例を説明する。
【００２９】
図３は本発明にかかる画像記録装置の実施例の基本構成を示すものであり、光画像を光電変換素子によって電気画像信号（静止画像信号）に変換し、前記電気画像信号を、磁気ディスク等の記録媒体に記録するよう構成されたスチルビデオカメラである。
【００３０】
ここで、光画像は、撮影レンズ１によって光電変換素子であるＣＣＤ２上に結像され、ＣＣＤ２は、前記結像された被写体の光画像を電気信号に変換して出力する。ＣＣＤ２からの電気画像信号は、信号処理回路３に入力されて色分離やガンマ補正等の信号処理が施されて、標準的な映像信号の形として記録回路４に送られる。
【００３１】
記録回路４では、信号処理回路３から出力される電気画像信号を、カメラ本体に対して着脱自在に構成された記録媒体５に記録するが、各画像信号に対応させて撮影位置を示すコード信号を同時に記録するものであり、位置情報記録手段としての機能を兼ね備えている。前記コード信号は、位置情報入力手段としての位置情報入力部６によって図示しない外部の位置情報発生源から入力された撮影位置の情報に基づいて、コード信号発生手段としてのコード信号発生部７が、撮影された画像に対応するコード信号を発生させるものである。
【００３２】
尚、前記記録媒体５としては、磁気ディスク（ビデオフロッピー），磁気テープ，半導体メモリカード等が用いられる。
【００３３】
次に、図４に従って、前記図３に示した前記位置情報入力部６及びコード信号発生部７のより具体的な実施例について説明する。
【００３４】
図４に示す構成は、人工衛星（外部の位置情報発生源）からの電波の到達時間を計測することによって衛星に対する相対距離を求めて現在位置を測定する測位装置10（一般には、Global Positioning System（ＧＰＳ）と呼ばれており、軍事用や車両のナビゲーションシステム等に用いられている。）をスチルビデオカメラに一体的に備え、前記測位装置10によって測定された現在位置に基づいて撮影位置を知って、これをコード化して記録媒体５に記録させるものである。
【００３５】
前記測位装置10の原理を、衛星を３個用いた場合を例として図５に従って簡単に説明する。まず、ひとつの衛星Ａからの距離Ａがわかると、現在の位置は前記衛星を中心とし、半径がその衛星からの距離Ａになる球の表面のどこかになる。更に、もうひとつの衛星Ｂからの距離Ｂがわかると、現在位置は２つの球が重なり合う円周上のどこかになる。そして、３個目の衛星Ｃからの距離Ｃにより、その球と前記円周との２つの交点のいずれかが現在位置となる。ここで、衛星は地球の表面から約20,000kmの円軌道を回っており、常にアンテナを地球に向けて電波を発射するように姿勢制御しており、前記２つの交点のうち一方は衛星からの電波が受信できない位置となるので、２つの交点の一方として現在位置を測定できるものである。
【００３６】
前記衛星からの距離は、衛星からの電波送信タイミングから受信機に信号が到達するまでの時間と、電磁波の伝搬速度とから計算することができる。
【００３７】
図４では、一点鎖線で囲まれる部分が前述の衛星を用いた測位装置10の構成を示す。ここで、位置情報入力手段としてのアンテナ11に捕捉された衛星からの電波は、高周波部12及び信号処理部13を介し、航法メッセージ（衛星時計の補正情報，軌道情報や電離層の補正係数等）や疑似距離などの情報がマイクロコンピュータ部14に入力される。マイクロコンピュータ部14は、衛星からの情報を受信するために設定されているそれぞれの衛星に固有のコードを設定し、これを信号処理部13に出力する一方、前記入力される航法メッセージや疑似距離、及び、付設された高精度な時計15に基づいて電波の到達時間から各衛星からの距離を求めて現在位置（緯度，経度，高度）を計算する。
【００３８】
コード信号発生手段としてのマイクロコンピュータ部14で計算された現在位置の緯度，経度，高度の情報を示すコード信号はカメラ部の記録回路４に送られ、ここで、画像信号と共に、前記現在位置の情報を所定のコード信号として記録媒体５に記録させる。即ち、外部の位置情報発生源である衛星から、撮影位置の情報を電波として入力し、該入力された電波に基づいて計算された撮影位置を示す情報（緯度，経度，高度）を所定コードに従って、画像と共に自動的に記録媒体５に記録させるものであり、前記撮影位置を示すコード信号を再生すれば、その画像がどの位置（場所）で撮影されたものであるかを判別することができる。
【００３９】
ところで、記録媒体５として磁気ディスク（ビデオフロッピー）を用いる場合には、一般的に画像信号とは別に識別信号（ＩＤ信号）が記録できるようになっており、その記録エリアの中のユーザーエリアには、通常で最大54ビット程度が記録できる。従って、前記ユーザーエリアを前記撮影位置情報（緯度，経度，高度）の記録エリアとすれば、記録フォーマットを変更することなく、緯度，経度の情報を秒単位で、また、高度の情報をメートル単位で0 〜10000ｍまで記録させることが可能である。
【００４０】
一方、記録媒体５として半導体メモリカードを用いる場合には、画像信号も他のデータも全てディジタルで記録されるので、位置情報を記録するエリアを確保するだけで良い。例えば、図６に示すように、メモリカードに対する画像記録のフォーマットが、画像及び音声の情報を１つのバケットとして扱うように設定され、バケットヘッダが、符号化方式や記録モード等を記録するバケット情報エリア（16Byte)と、撮影日時を記録するデートエリア（６Byte)と、ユーザーが任意に使用できるタイトルエリア（106Byte)とに分かれている場合には、前記タイトルエリアの一部を、撮影位置情報を記録させるエリアとして用いれば、前述の磁気ディスクの場合と同様に、衛星を用いた測位装置10によって測定された緯度，経度，高度の情報をコード化して記録させることができる。
【００４１】
上記のように、衛星を利用した測位装置10によって測定された撮影位置の緯度，経度，高度の情報に対応するコード信号を、画像信号と共に記録媒体に自動的に記録させるように構成すれば、撮影者が入力操作に煩わされることがなく、また、入力ミスが発生したり、撮影位置の記録を忘れることがなく、撮影位置の情報を確実に記録させることができ、後の画像整理や画像検索等においてこの撮影位置の情報を有効に利用できることになる。
【００４２】
ここで、上記のように撮影位置の情報が画像信号と共に記録される構成のスチルビデオカメラで撮影・記録された画像を再生するのに好適な画像再生装置の実施例を以下に示す。
【００４３】
図７は前記画像再生装置の基本構成を示すものであり、セットされた記録媒体５から画像信号を再生して出力する画像再生回路21と、前記記録媒体５から撮影位置の情報を示すコード信号を再生する再生手段としての位置コード信号再生回路22と、該位置コード信号再生回路22で再生された前記コード信号に基づいて位置情報記憶手段としてのデータベース23から撮影位置に関連する情報を検索して出力する位置情報出力手段としての撮影位置情報出力回路24とによって構成されている。尚、上記画像再生装置と前記画像記録装置（スチルビデオカメラ）とが一体的に備えられた録再機能付のスチルビデオカメラとしても良い。
【００４４】
上記図７に示す基本構成を、より具体的に示した再生装置の実施例を図８に示す。図８は、記録媒体５として半導体メモリカードを用いた例を示してあり、前記メモリカード５からは、再生手段としてのメモリコントローラ31によって画像単位にデータが読み出され、画像データとその他の付随するデータとに振り分けられる。
【００４５】
画像データは、圧縮されて半導体メモリに記録されており、画像用ディジタルシグナルプロセッサ（ＤＳＰ）32では、再生された圧縮画像信号を復元処理してバッファメモリ33に一旦記憶させる。ここで、複数画像を合成して一覧画面を作成する等の再生フォーマット処理を施すこともある。
【００４６】
バッファメモリ33に記憶された画像データは、エンコーダ34でＮＴＳＣコンポジット信号に符号化された後、Ｄ／Ａ変換器35でＤ／Ａ変換されて、ＣＲＴ等の表示装置36に出力され表示される。
【００４７】
尚、バッファメモリ33に記録された画像データを、Ｄ／Ａ変換器35でＤ／Ａ変換してから、エンコーダ34で符号化するよう構成しても良い。
【００４８】
一方、メモリコントローラ31によって振り分けられた画像データ以外のデータは、ＣＰＵ37に読み込まれる。ＣＰＵ37では、前記画像データ以外のデータとして撮影日時が記録されている場合には、前記撮影日時のデータに応じた数字をキャラクタジェネレータ38で発生させて、バッファメモリ33に書込み、画像と撮影日時（日付）とを合成して表示装置36上に表示させる。
【００４９】
また、前記画像データ以外のデータとして撮影位置の情報がコード化して記録されている場合で、かつ、前述のように衛星を用いた測位装置10を用いて撮影位置が緯度，経度，高度として測定されている場合には、記録されている緯度，経度，高度の情報をそのまま表示させても、かかる情報の有効利用を図ることは困難である。即ち、一般的な撮影者にとっては、緯度，経度などの情報よりも、地名などの具体的な情報があった方が便利であり、緯度，経度の情報が提供されても地図でその緯度，経度が該当する位置をその都度確認する必要が生じて煩雑である。
【００５０】
そこで、本実施例における画像再生装置では、前記緯度，経度の入力情報に対応させて、当該地点に対応する地名，施設名，河川・山岳名等の撮影位置の場所を具体的に示すデータを記憶した位置情報記憶手段としてのデータベース39を予め備えており、位置情報出力手段としてのＣＰＵ37は、再生された緯度，経度の位置情報に基づいて前記データベース39から対応する場所名のデータを検索する。そして、検索された場所名データに対応する文字を、キャラクタジェネレータ38で発生させてバッファメモリ33に書込み、画像と撮影場所名とを合成して表示装置36に表示させる。尚、前記データベース39を構築するための記憶媒体としては、ＣＤ−ＲＯＭ（compact disk read only memory)等が用いられる。
【００５１】
ここで、データベース39に記憶される緯度，経度に対応する場所名のデータは、住所等の情報が１つだけ記憶されるのではなく、関連する場所名のデータが複数出力されるようにして、データベース39からの検索の結果に基づき出力された複数の場所名から、使用者が任意に選択できるようにすることが好ましい。
【００５２】
前記データベース39のルール例を以下に説明する。
【００５３】
まず、緯度，経度で示される地点の町名・番地を記憶させる一方、有名な施設名や河川・山岳の名前を、適当な範囲の地域に対応させる。例えば、「歌舞伎座」のような施設名は比較的小さな地域に限定して対応させるが、「富士山」のような山岳・河川名は比較的広い範囲に対応させる。更に、撮影位置が湖や海の上である場合には、その湖，海の名前と共に、最も近い陸地の地名を対応させるようにする。
【００５４】
上記のようなルールに従ってデータベース39を設定させた場合には、前記実施例のスチルビデオカメラを用いて例えば山中湖畔で撮影を行い、山中湖畔の緯度，経度が自動的に記録媒体５に記録された場合には、上記画像再生装置で再生させると、山中湖畔で撮影された画像に対応して「山梨県忍野村××番地」「山中湖」「富士山」等の対応する場所名データが全て検索されて画像に重ねて表示される。
【００５５】
ここで、複数表示された場所名データの中の任意のものを選択できるよう構成し、例えば山中湖畔から富士山を撮影したものであれば、前記複数の場所名のデータから使用者が「富士山」を選択し、該選択されたもの以外の表示を消去させることができるようにすると良い。そして、最終的に選択された場所名を、記録媒体５に記録された緯度，経度の撮影位置情報の代わりに（又は共に）記録させたり、また、当該画像に、撮影日時及び選択された場所名を合成した画面をハードコピーできるようにする。
【００５６】
従って、上記の撮影位置の緯度，経度を自動的に記録できるスチルビデオカメラ（画像記録装置）と、上記のように画像信号と共に記録されている撮影位置の緯度，経度から対応する撮影場所名を出力できる画像再生装置とからなるシステムを用いれば、撮影後に撮影場所の情報を確実に得ることができ、少なくとも限定された地域別に画像群を構成するなどが容易に行えることになり、撮影した画像を電子アルバム化するときに、撮影場所毎に画像を区分することが可能となる。更に、撮影日時が自動的に記録されるカメラでは、この日時データと前記撮影位置データとを組み合わせて、例えば同じ撮影場所で撮影された画像を撮影日時の古い順に並べるなどの画像整理の操作も行えることになる。
【００５７】
特に、緯度，経度の情報から関連すると予測される場所名を複数検索できるようなデータベースを備える構成とし、かつ、複数検索された場所名から任意のものを選択できる構成とすれば、緯度，経度という数値データを撮影者の好みに合った場所名データに変換することが容易となる。ここで、前記データベース39の設定において、ある特定の撮影位置に対して、撮影者個人だけに通用する場所名を対応させて登録することが可能な構成としておけば、例えば祖母の家の町名・番地に対して「おばあちぁんの家」という場所名を登録させておけば、「おばあちぁんの家」という個人的な場所名を、撮影画像に対応させることが容易に行える。
【００５８】
更に、前記データベース39に地図を記憶させておけば、再生画像の撮影場所周辺の地図を自動的に呼び出して表示させることも可能となり、撮影地点の周囲の地理的状況を知ることが容易となり、例えば観光地の代表的な風景を撮影しておき、その観光地の地図をデータベース39に記憶させておけば、風景（画像）から目的の観光地を選択させて、これに付随する地図や観光案内などを自動的にデータベースから読み出して提供するなどの使い方もできる。
【００５９】
ところで、スチルビデオカメラなどの画像記録装置においては、撮影と同時に撮影日時を記録することが行われているが、例えば日本時間にセットしたまま海外などに旅行に出掛けると、カメラの時刻・日付の設定をその都度現地時間に変更する操作を行う必要が生じる。しかしながら、上記のように撮影位置の情報を自動的に得ることができるスチルビデオカメラでは、かかる撮影位置の情報（緯度，経度）に基づいて、前記時刻・日付の設定を自動修正させることが可能である。
【００６０】
即ち、緯度，経度（又は経度のみ）に対応させて日付変更線及び時刻変更線を設定した記憶データを予め設定しておき、例えば日本で時間・日付の設定が行われたカメラを持ってハワイに旅行すると、図９のフローチャートに示すように、測定された緯度，経度を読み込んで（Ｓ１）カメラが日付変更線を横切ったことを検出し（Ｓ２）、日付の設定を自動的に１日戻す修正を行う一方（Ｓ３）、時刻変更線を横切る毎に（Ｓ４）、時間をプラス又はマイナス方向に１時間単位で自動修正する（Ｓ５）。
【００６１】
尚、経度のみの情報によって日付及び時刻を修正させる場合には、１〜２時間の誤差を生じることがあるが、一般には、細かな時刻の記録は必要ではなく、日付の情報のみがあれば良いので、上記の誤差はあまり問題とはならないから、経度のみをパラメータとして日付及び時刻を修正させるよう構成して、修正用データの容量を節約することが好ましい。
【００６２】
前述の撮影日時の記録機能及び自動修正機能を、図３のブロック図で示すと、日時信号発生手段としての時計８で発生する日時のデータを、日時記録手段としての機能を兼ねる記録回路４が記録媒体５に画像信号に対応させて記録する一方、コード信号発生部７からの緯度，経度を示すコード信号を受けて、日時修正手段としての自動修正回路９が前記時計８を自動修正する構成となる。ここで、前記自動修正回路９に、少なくとも経度をパラメータとする日付及び時刻変更のデータを記憶するメモリが含まれることになる。
【００６３】
上記実施例のスチルビデオカメラでは、撮影位置を知るために衛星からの電波を位置測定のための情報源とする測位装置を一体的に備える構成としたが、これでは、直接撮影に関係のない測位装置によってカメラを大型化させ、かつ、消費電力を増大させることになってしまう。そこで、前記測位装置を用いたナビゲーションシステムを備えた自動車において、前記ナビゲーションシステムに対してカメラがケーブルを介して着脱自在に接続されることによって、ナビゲーションシステム内における測位の情報がカメラ側に提供されるように構成すると良い。
【００６４】
即ち、前記ナビゲーションシステムにおいては、前記図４に示す測位装置10の構成を全く同様に備え、衛星からの電波に基づいて検出した緯度，経度，高度の情報を、図10に示すようにナビゲーションシステム45のコントロールユニット41に送り、緯度，経度の情報に見合った地図を、ＣＤ−ＲＯＭ42から読み出して車室内のコンソール部分に設置されたＣＲＴ表示装置43に表示させる構成であるから、カメラと前記コントロールユニット41とのインターフェイスを取れるようにして置けば、ナビゲーションシステム45（コントロールユニット41）から前記緯度，経度の情報をカメラ側に撮影位置情報として貰うことができる。従って、上記実施例の場合には、外部の位置情報発生源とは、車両に備えられたナビゲーションシステム45が相当することになる。
【００６５】
かかるシステムの使用形態としては、ナビゲーションシステム45を備えた車両での移動中に、スチルビデオカメラを車載のナビゲーションシステム45にケーブルで接続させておき、常時新しい位置情報をカメラ側に取り込んでおくようにする。そして、撮影場所に到着したときには、カメラとナビゲーションシステム45との接続を解いて、カメラを車外に持ち出し撮影するが、少なくとも車両を停止させた場所の情報はカメラに取り込まれているから、車両から遠くに移動して撮影しない限り、充分な精度の撮影位置情報を撮影画像と共に記録させることができる。
【００６６】
また、上記のようにカメラと測位装置とが切離し自在であれば、カメラを小型化できる共に、車両に測位装置を備える場合には、カメラに一体的に搭載する場合のような極端な小型化は要求されないので、精度の良いものを使用でき、また、アンテナ等の設置自由度も確保できる。
【００６７】
更に、ナビゲーションシステム45とカメラとを接続して移動するときには、車両の電源側からカメラのバッテリへの充電が行われるようにすれば、位置情報を読み込ませるだけのためにケーブルでナビゲーションシステムとカメラとを接続させるということではなく、充電を行っているときに付随して位置情報が読み込まれる形となり、撮影位置情報を読み込ませる操作を強いられているという感覚を無くして、自然な操作の中で撮影位置情報の読み込みを行わせることが可能となる。
【００６８】
また、前記ナビゲーションシステム45においては、前述のように地図を表示するための表示装置43を備えているから、再生機能を有したスチルビデオカメラである場合には、図10に示すように、再生した画像信号をナビゲーションシステム45のコントロールユニット41に送って、通常地図が表示される表示装置43に対して撮影記録された画像を再生させるよう構成することもできる。
【００６９】
ところで、上記実施例では、スチルビデオカメラ等の画像記録装置が撮影位置の情報を得るための構成として、衛星を情報源とする測位装置を用いたが、かかる測位装置に代えて、携帯電話における交信相手の無線基地局の識別番号を撮影位置の情報として取り込む実施例を以下に説明する。
【００７０】
無線式の携帯電話は、最寄りの無線基地局と交信することによって通話を行うものであり、携帯電話は頻繁に最寄りの無線基地局と交信して自分の識別信号を無線基地局に送ることによって、複数ある無線基地局と個々の携帯電話とが対応づけられて上位局に登録されるようになっている（図11参照）。従って、相手の携帯電話に対して電話をかけると、その相手の携帯電話の識別信号に基づいて最寄りの無線基地局が検索され、この検索された無線基地局と回線を接続し、該無線基地局が相手の携帯電話を呼び出して交信通話が行われるようになっている。携帯電話は、無線基地局からの電波を常時受信するが、自分の識別番号で呼び出されない限り通話交信は行わない。
【００７１】
このように、携帯電話においては常に最寄りの無線基地局に対応付けられるようになっているから、交信相手の固定された無線基地局の位置によって、携帯電話の現在位置を略特定できることになる。即ち、ある携帯電話機が、Ａ地点に設置された無線基地局を最寄りの基地局として交信する場合には、複数設置された無線基地局の中のＡ地点の基地局エリア内に、前記携帯電話機が位置していることが判別できるものである。
【００７２】
従って、図12に示すように、前述のような携帯電話機51と一体的にスチルビデオカメラを構成するか、又は、前記携帯電話機51とスチルビデオカメラとがコードで着脱自在に接続されるようにして、携帯電話機51における交信相手の無線基地局の識別番号がカメラ側に撮影位置の情報として入力されるようにする。
【００７３】
図12に示すディジタル携帯電話機51は、ディジタル化した音声を高能率符号化／複号化する音声コーデック部52，音声データや制御データなどから時分割多重化フレームに組み立て／分解するフレーム処理部53，ディジタル変復調部54，線形電力増幅器で構成される無線周波数（ＲＦ）部55から構成される公知のものであるが、フレーム処理部53を構成する制御部53ａから、最寄りの無線基地局の識別信号をカメラ側に出力できるよう構成している。
【００７４】
前記無線基地局の識別信号を入力したカメラは、前記識別信号をそのまま撮影位置のデータとしてコード化して記憶させるか、或いは、前記識別信号に対応する地名などの情報コードに変換してから画像信号と共に記録媒体５に記録させる。
【００７５】
ここで、各無線基地局の担当エリアが広いと、撮影位置のデータがそれだけ大雑把となってしまうが、前記担当エリアが狭い構成であれば、画像の撮影位置区分に必要充分な位置情報とすることができる。
【００７６】
無線基地局の識別信号を画像信号と共に記録する場合には、画像再生装置側には、前記識別信号から関連する撮影場所名のデータ（識別信号に対応する無線基地局が設置された場所に関連する地名等）が検索されるように構成する必要があり、この場合、緯度，経度の情報から地名，施設名などが検索される前記実施例における地理的情報の検索パラメータが、緯度，経度から無線基地局の識別信号に変更されることになる。
【００７７】
尚、携帯無線機における最寄りの無線基地局を認識するための機能部分のみをスチルビデオカメラに搭載させるようにし、実際の通話に必要とされる部分（マイク，スピーカ，音声コーデック部等）を省略し、携帯電話機とスチルビデオカメラとを一体化させた場合に比べて、カメラの小型化・省電力化を図るようにしても良い。
【００７８】
更に、上記衛星を用いた測位装置、携帯電話機における最寄り無線基地局の認識に代わる撮影位置情報の入力として、地図やガイドブックに予め印刷されているバーコードを読み取らせて撮影位置の情報をバーコートデータ（コード信号）として入力する構成としても良い。
【００７９】
例えば、図13に示すような地図を用意する。図13の地図は、アルファベットＡ〜Ｅと数値１〜６とによって縦横の複数区域に分割されており、各格子位置毎にバーコードが印刷されている。例えば、長野市が撮影位置に該当する場合には、図13の地図上で３−Ｂが該当区域であり、「３」に対応する格子位置のバーコードと、「Ｂ」に対応する格子位置のバーコードとを、図14に示すようにスチルビデオカメラ70に対してケーブルを介して接続されるバーコードリーダー61で読み取らせる。従って、この場合、外部の位置情報発生源とは、バーコードが印刷された地図帳やガイドブックなどの印刷物であり、位置情報入力手段は前記バーコードリーダー61が相当することになる。
【００８０】
前記バーコードは、単に「３」及び「Ｂ」を示すものではなく、「地図帳の名称」「ページ」等の情報を付加してあり、このバーコードを読み取ることによって、どの地図帳の何ページのどの区域であるかが判別できるようになっている。従って、カメラ側では、前記バーコードのデータ（コード信号）をそのまま画像信号と共に記録し、画像再生装置側では、読み取られたバーコードのデータからどの地図帳の何ページのどの区域であるを判別し、その区域に対応する地名や施設名等を撮影場所データとして出力するよう構成する。即ち、予めバーコードデータの組み合わせに対応させて、地名や施設名などの情報を再生装置側に記憶させておき、記録媒体５から再生した撮影位置の情報を示すバーコード信号（コード信号）に基づいて、前記記憶内容から撮影位置の具体的な情報を読み出して出力させるものである。
【００８１】
従って、観光地で撮影したときには、その地域のガイドブックの撮影場所が解説してあるページのバーコードを読み取らせれば、撮影位置の情報として前記バーコードデータが画像と共に記録され、画像再生装置にセットして再生するときに、画像と共に前記バーコートデータが再生され、前記ガイドブックの記載内容に沿った観光名所等の情報を出力させるように構成することができる。
【００８２】
このため、撮影者が複数のキーボタンを操作して撮影位置を入力させる場合に比べ、撮影位置を記憶させるための操作が簡便化されると共に、入力ミスの発生を回避することが可能であり、また、再生装置側では、記憶されている撮影位置情報のみならず、付随する種々の情報を出力させることができる。
【００８３】
前記バーコードリーダーは、図14に示すように、専用のバーコードリーダー61をケーブルによってスチルビデオカメラ70に接続させる構成としても良いが、カメラに内蔵されているハードウェア構成をバーコードリーダーとして流用させることもできる。
【００８４】
図15に示すように、例えば発光素子62と受光素子63とを備えて構成されるアクティブオートフォーカス機能を備えたスチルビデオカメラ70においては、前記発光素子62を強制的に連続発光させて地図帳などに印刷されているバーコードを照射し、その反射光を前記受光素子63で受光してバーコードを読み取らせるよう構成することが可能である。
【００８５】
また、ＣＣＤ２で撮影された信号をディジタル処理する構成のスチルビデオカメラでは、撮影レンズをマクロにしてバーコードを撮影し、撮影内容をソフトウェアによって解析してバーコードの解読を行わせ、解読されたバーコードを撮影位置の情報として記録媒体５に記録させることも可能である。
【００８６】
尚、前記アクティブオートフォーカス機能やディジタル撮影機能を利用してバーコードを読み取らせる場合には、発光素子62及び受光素子63からなるアクティブオートフォーカス機能部分、又は、撮影レンズ，ＣＣＤ，ディジタル信号処理回路からなる撮影機能部分が、位置情報入力手段を兼ねることになる。
【００８７】
また、上記実施例では、バーコードを地図帳やガイドブックに印刷させる構成としたが、例えば観光地の名所の看板等に予め対応するバーコードが付設されるようになれば、そのバーコードを読み取らせるようにしても良く、バーコードの設定場所を限定するものではない。
【００８８】
更に、外部の位置情報発生源として車両のナビゲーションシステムを用いる場合には、前記ナビゲーションシステムを衛星を用いた装置に限定するものではなく、サインポストなどの地上施設を用いるものや、方位，距離測定に基づき相対的に現在位置を検出するシステムなどであっても良い。
【００８９】
また、上記のサインポストなどの地上施設が設置される場合には、スチルビデオカメラが前記サインポストとの間で直接情報交換を行うよう構成することもできる。
【００９０】
また、画像記録装置として、本実施例ではスチルビデオカメラを例に上げたが、これに限定されるものではなく、ＶＴＲ一体型ビデオカメラのように動画を記録するものであっても良い。
【００９１】
【発明の効果】
以上説明したように、請求項１記載の画像記録装置によれば、自動車に搭載されたナビゲーションシステム装置とのインターフェースを備えており、ナビゲーションシステムの機能を利用することができるようになるので、ナビゲーションシステムからの情報を利用したり、撮影した画像をナビゲーションシステムで表示することも可能になる。
【００９２】
また請求項２記載の画像記録装置によれば、ナビゲーションシステム装置と着脱自在に接続できるので、撮影時には画像記録装置をナビゲーションシステム装置から取り外して撮影し、その他の場合はナビゲーションシステム装置にして情報を得るといったことが可能になる。
【００９３】
また請求項３記載の画像記録装置によれば、ナビゲーションシステム装置から情報を取り込み、画像データと共に記録媒体に記録することができるので、撮影者による文字選択などの操作負担を必要とせずに簡便に撮影位置を記録させることが可能となるとともに、入力ミスの発生を回避できる。
【００９９】
また請求項４記載のナビゲーションシステム装置によれば、撮影機能を備える画像記録装置とのインターフェースを備えており、画像記録装置に対してナビゲーションシステムの情報を提供したり画像記録装置で撮影した画像を表示するといったことも可能になる。
【図面の簡単な説明】
【図１】画像記録装置の基本構成を示すブロック図。
【図２】画像再生装置の基本構成を示すブロック図。
【図３】画像記録装置の実施例の基本構成を示す回路ブロック図。
【図４】衛星を用いた測位装置を備えた画像記録装置の実施例を示すブロック図。
【図５】衛星を用いた測位装置の測位原理を説明するための図。
【図６】半導体メモリカードにおける記憶領域の例を示す図。
【図７】画像再生装置の実施例の基本構成を示す回路ブロック図。
【図８】半導体メモリカードを用いた画像再生装置の実施例を示す回路ブロック図。
【図９】撮影位置情報に基づく日時設定の修正を示すフローチャート。
【図１０】ナビゲーションシステムから撮影位置情報の提供を受ける実施例を示す回路ブロック図。
【図１１】携帯電話のネットワーク構成を示す図。
【図１２】携帯電話機から撮影位置情報の提供を受ける実施例を示す回路ブロック図。
【図１３】撮影位置情報を読み取らせるバーコードが印刷された地図の例を示す図。
【図１４】スチルビデオカメラとバーコードリーダーとの組み合わせ例を示す斜視図。
【図１５】アクティブオートフォーカス機能をバーコードリーダーに流用する実施例を示す斜視図。
【符号の説明】
１    撮影レンズ
２    ＣＣＤ（光電変換素子）
３    信号処理回路
４    記録回路
５    記録媒体
６    位置情報入力部
７    コード信号発生部
８    時計
９    自動修正回路
10    測位装置
22    位置コード信号再生回路
23    データベース
24    撮影位置情報出力回路
45    ナビゲーションシステム
51    携帯電話機
61    バーコードリーダー
62    発光素子
63    受光素子
【図１】
0003748513.tif 000002
【図２】
0003748513.tif 000003
【図３】
0003748513.tif 000004
【図４】
0003748513.tif 000005
【図５】
0003748513.tif 000006
【図６】
0003748513.tif 000007
【図７】
0003748513.tif 000008
【図８】
0003748513.tif 000009
【図９】
0003748513.tif 000010
【図１０】
0003748513.tif 000011
【図１１】
0003748513.tif 000012
【図１２】
0003748513.tif 000013
【図１３】
0003748513.tif 000014
【図１４】
0003748513.tif 000015
【図１５】
0003748513.tif 000016